(57)【要約】本発明は、ピン（２）が、歯の歯根内に挿入され、固定されることを特徴とする歯根摘出するための方法に関する。手動で動かされるテンション装置（４）と機能的に連結された引張要素（３）が前記ピン（２）内に挿入される。口腔内に部分的に導入され、その中で支持されたテンション装置（４）が、ほぼ歯根の軸の方向に前記歯根に及ぼすために必要とされる引張力を発生させる。本発明は、歯根を摘出するための極めて単純でコスト効果の高い方法および装置を可能にする。
2006521117.tif 000002
【特許請求の範囲】
【請求項１】
歯周隙間内での歯根の最初の弛緩に続いて歯根を摘出する、歯根を摘出する方法であって、歯根を摘出するために、ピン（２）を前記歯根内に挿入して固定し、その後、テンション装置（４）と機能的に連結された引張要素（３）が前記ピン（２）と接続され、それに続いて、前記歯根を摘出するために必要とされる引張力が、口腔内に部分的に挿入されて支持された前記テンション装置（４）を用いてほぼ歯根の軸の方向に、前記歯根に加えることを特徴とする方法。
【請求項２】
前記歯根にその軸方向に作用する前記引張要素（３）が、前記テンション装置（４）内で転向され、前記歯根の前記軸方向に対してほぼ直角方向に引っ張られることを特徴とする請求項１に記載の方法。
【請求項３】
前記引張要素（３）が、前記歯根を摘出するために必要な引張力を作成する前に、前記ピン（２）上の作用点と、前記テンション装置（４）上の作用点の間でプリテンションされ、それによって、口腔内での前記テンション装置の支持点と摘出される歯根との間の距離を調節することを特徴とする請求項１または２に記載の方法。
【請求項４】
前記引張要素（３）が、一方では前記ピン（２）に、他方では口腔内で支持されている前記テンション装置（４）に引っ掛けられ、引き上げられる前に２つの位置の間でプリテンションされることを特徴とする請求項１から３の一項に記載の方法。
【請求項５】
前記引張要素（３）のプリテンションが、前記歯根の軸方向に対してほぼ直角に運動可能なテンション支持部（１２）を調節することを用いて行われ、テンション支持部が、口腔内で支持されている前記テンション装置（４）の基部本体（１０）に対して調節可能であり、それによって、前記歯根の弛緩が、前記歯根を摘出するために必要とされる引張力を生成させる前の前記テンション支持部（１２）の突然の活動化を用いて行われることを特徴とする請求項３または４に記載の方法。
【請求項６】
前記歯根を摘出するために必要とされる引張力が、ねじ山付きボルト（１５）と係合し、前記本体部分（１０）上で前記ねじ山付きボルト（１５）の軸方向に支持されている前記テンション支持部（１２）と接続された、ねじ山付きボルト（１５）に取り付けられたリブ付きナット（２０）を用いて作成されることを特徴とする請求項５に記載の方法。
【請求項７】
前記ピン（２）として、ねじ山付きピンが前記歯根の軸方向に前記歯根内に挿入されることを特徴とする請求項１から６の一項に記載の方法。
【請求項８】
前記歯根内に挿入されて固定されるピン（２）と、前記ピン（２）内に挿入される引張要素（３）と、前記歯根を摘出するために必要とされる引張力を生成するために口腔内に部分的に挿入され、そこで支持され、前記引張要素（３）と機能的に接合された手動で動かされるテンション装置（４）とを有すること特徴とする請求項１に記載の方法を実施するための装置。
【請求項９】
前記テンション装置（４）が、長く延びた基部本体（１０）と前記引張要素（３）に機能的に接合されたテンション支持部（１２）を組み込んでおり、前記テンション支持部（１２）が、前記基部本体（１０）に対して長手方向に調節可能であり、それによって、前記ピン（２）と前記テンション要素（１２）の間で引っ張られる引張要素（３）が、前記基部本体（１０）と接続された転向部分（２４）上に載ることを特徴とする請求項８に記載の装置。
【請求項１０】
前記テンション支持部（１２）が、長手方向に方向付けられたねじ山付きボルト（１５）を組み込んでおり、そのボルトは前記本体部分（１０）に固定された支持スリーブ（１６）を通って突き出し、そこに、前記支持スリーブ（１６）上で軸方向に支持されたリブ付きナット（２０）が配置され、それを用いて前記テンション支持部（１２）と接続された前記ねじ山付きボルト（１５）を、前記軸方向に支持されたリブ付きナット（２０）によって長手方向に調節可能であることを特徴とする請求項９に記載の装置。
【請求項１１】
前記引張要素（３）がワイヤ、ロープまたは糸の形態をとり、前記引張要素（３）を前記ピン（２）のフック型のくぼみ（６、２３）内に引っ掛けるための手段（８、９）と、長手方向に調節可能なテンション支持部（１２）とを含むことを特徴とする請求項９または１０に記載の装置。
【請求項１２】
前記テンション支持部（１２）が、引張要素（３）を選択可能に引っ掛けるために長手方向に互いに前後するように配置されたいくつかのフック型のくぼみ（２３）を備えていることを特徴とする請求項１１に記載の装置。
【請求項１３】
前記テンション支持部（１２）が、基部本体の前側部分（１０ａ）と支持スリーブの前向きの面（１８）との間で長手方向に調節可能であり、その調節の長さが、前記支持スリーブ（１６）の後向きの面（１７）に支持された前記リブ付きナット（２０）を用いて調節可能であることを特徴とする請求項１０から１２の一項に記載の装置。
【請求項１４】
回転セグメント（３０）が、前記基部本体（１０）内に回転可能に配置され、その軸が、前記テンション支持部（１２）の変位方向に対して直角に延びており、前記ピン（２）に面した引張要素（３）を包囲し、前記基部本体（１０）と前記回転セグメント（３０）が、前記ピンを口腔内で支持するための支持面（２８ａ、３８ａ）をそれぞれ備えることを特徴とする請求項９から１３の一項に記載の装置。
【請求項１５】
前記支持スリーブ（１６）の面（１７）と前記支持スリーブ（１６）に当接する前記リブ付きナット（２０）が、対応して半径方向に延びている鋸歯またはそのようなものを備えることで、前記リブ付きナット（２０）を回転させている間に、前記引張要素（３）に突然の衝撃力を加える手段を設けることを特徴とする請求項１から１４の一項に記載の装置。
【発明の詳細な説明】
【技術分野】
【０００１】
本発明は、請求項１の主な記載による歯根を摘出するための方法およびこの方法を適用するための装置に関する。
【背景技術】
【０００２】
歯科技術では、歯を抜いている間、局所麻酔の投与後に、最初に歯周隙間に押し込まれた道具によって歯根が歯肉の内部で弛緩され、次に歯がプライヤで歯根とともに引き出されるのが一般的である。しかし、これは、歯が損傷したものであったり、歯が歯冠で覆われていて、実際にプライヤが使用可能な把持表面がない場合や歯根のみを摘出する場合は問題である。
【発明の開示】
【発明が解決しようとする課題】
【０００３】
歯根の簡単な摘出の方法と本方法を適用するための装置を提供することが、本発明の目的である。
【課題を解決するための手段】
【０００４】
この課題は、請求項１で特徴づけられた方法と請求項８に記載の本方法を適用するための装置による本発明に従って解決される。
【０００５】
本発明の方法のさらに好ましい実施態様と、本発明の装置が従属請求項の主題を形成する。
【０００６】
歯根を摘出するために、ピンが、歯根内に挿入されてそこに固定され、その後、手動で動かすことができるテンション装置に機能的に連結された引張要素がピン内に挿入され、それに続いて、歯を摘出するために必要な引張力を生成させ、口腔内に部分的に挿入されて支持されたテンション装置を用いてほぼ歯根の軸方向に歯根に加ることによって、比較的大きな引張力を、力を過度に必要とすることなく、また空間の問題や起こり得る口腔内の損傷の危険性がなく、歯根に加えることができることを意味している。本発明の装置は、単純でコスト効果があり、容易な操作を可能にする。
【発明を実施するための最良の形態】
【０００７】
図面を参照にして本発明を説明する。
【０００８】
図１は、歯根内に挿入されてそこに固定されるピン２、ピン２に挿入される引張要素３、その引張要素３に機能的に連結されたテンション装置４を組み込んでいる、歯根を摘出するための装置１を示している。
【０００９】
ここに図示した実施形態のピン２は、歯根内に、好ましくはその軸の方向にねじ込まれるねじ山付きピンの形態をとる。しかし、ピン２を歯根に固定するためのその他の方法を考えることができるが（これは、たとえば、セメントまたは接着剤の接続部または伸長ピンから成る）、たとえば、歯根が真直ぐでないとき、または歯冠の嵌合のために１つまたは２つのねじをすでに備えているとき、歯根の軸の方向へ挿入することができないことがある。
【００１０】
ピン２は、頭部５を備え、頭部はさらに、フック型のくぼみ６を備える。図４に示すように、頭部５は、好ましくは、歯根内にねじ込むための標準化されたアダプタ７を頭部５に取り付けることができるような外部形状（正方形）である。
【００１１】
上記ですでに述べた引張要素３が、次に、クロス・ピン８によってフック型のくぼみ６内に引っ掛けられる。引張要素３は、たとえばワイヤ、糸またはロープの形態をとることができる。引張要素３の他方の端部に、引張要素３を、以下で詳細に説明するようなテンション装置４に固定させることができるクロス・ピン９が設けられている。
【００１２】
テンション装置４には長い基部本体１０が組み込まれており、その基部本体１０に、長手方向に調節可能なテンション支持部１２のためのＴ字型の断面を有するガイド・ナット１１が設けられている。長手方向に延びているねじ山付きボルト１５の前端部１５ａがテンション支持部１２内にねじ込まれており、ボルト５の後部のねじ山付き部分１５ｂが支持スリーブ１６を通してガイドされる。そのスリーブ１６はねじ１４を用いて基部本体１０の後端部に螺合されている。リブ付きナット２０が、ねじ山付き部分１５ｂに、支持スリーブ１６の後向きの面１７に支持されるように設けられている。テンション支持部１２は、一方では後部面２１が支持スリーブ１６の前向きの面１８に面し、他方では前方に方向付けられた面２２が基部本体の前側部１０ａに面するように、長手方向に支持される。
【００１３】
テンション支持部１２は、引張要素３をクロス・ピン９で引っ掛けることができる、長手方向に互いに前後するように配置された、いくつかのフック型のくぼみ２３を備えている。引張要素３のための転向部分２４が前側の基部本体の部分１０ａに固定され、その上に、一方ではピン３に対してほぼ歯根の軸方向に保持され、他方ではテンション装置４の長手方向に歯根に対して直角に引っ張られている引張要素３が載っている。転向部分２４は、しっかりと固定されたディスク・セグメントの形態をとり、その断面が、引張要素３のためのガイド・ナット２４ａを形成している。転向部分は前側で、クロス・ピン２６を用いて前側基部本体の部分１０ａのフォーク型部分２５に固定されている。
【００１４】
テンション支持部１２のためのガイド溝１１から離れた側に、基部本体１０は、蟻継ぎ断面を有する溝２７を備え（特に図３を参照）、その中にプラスチック製の支持プレート２８が挿入されている。基部本体の前側部分１０ａにも、基部本体１０と同じ側に図１に示された回転セグメント３０のための溝２９を組み込んでおり、その溝の軸は、テンション支持部１２の変位方向に対して直角に延びている。回転セグメントを、溝２９内に側面から挿入することができ、それによって溝２９は、回転セグメント３０の外周と内周面３１、３２のためのガイド表面を形成している。このために、ピン２に向かう引張要素が、回転セグメント３０に対して同軸に延びるように、溝２９が基部本体の前側部分１０ａ内に配置されている。回転セグメント３０は面３４、３５によって区画された切込みを形成している。それによって、回転セグメント３０を回転させ、回転セグメント３０の配置を変更、すなわち調節することができる。蟻継ぎ断面（図１）を有する回転セグメント３０の溝３７内に挿入されるプラスチック製の支持ディスク３８を回転セグメント３０が備えている。支持プレート２８を備える基部本体１０と酷似している。支持プレート２８と支持ディスク３８は、口の中でテンション装置４を支持するための支持面２８ａ、３８ａを形成形成している。
【００１５】
歯根が摘出されるとき、最初にピン２が歯根内に挿入されて固定される。好ましくは歯根内にねじ込まれる。次に、引張要素３の一方の端部が、ピン２内に挿入され、たとえばクロス・ピン８によってくぼみ６内に引っ掛けられ、口の中に挿入されたテンション装置４に固定され、他方の端部でそこで部分的に支持される。他方のクロス・ピン９内に引っ掛けるために適切なくぼみ２３を選択して、治療される口の中の部位、すなわち口の中のテンション装置の支持点と摘出される歯根の間の距離の位置調整を考慮して、引張要素３の適切なプレテンションを作成させる。歯根を摘出するための実際の引張力を生じさせる前の開始位置としての、基部本体の前側部分１０ａと支持スリーブ１６の前側の面１８との間でのテンション支持部１２の位置も、ねじ付き部分１５ｂに適合するようにリブ付きナット２０を軸方向に調節することを用いて、迅速に調節できる。テンション支持部１２の後部面２１を支持スリーブ１６の前向きの面１８に当接させることで、リブ付きナット２０を回転させずに、テンション支持部１２が長手方向に迅速に移動することができる、支持スリーブの後ろ向きの面１７からのリブ付きナット２０の軸方向距離を決めることができる。次に、歯根を摘出するための実際の引張力が、支持スリーブ１６の後向きの面１７と当接しているリブ付きナット２０によって作成され、それに続いて、ねじ山付き部分、すなわちテンション支持部のゆっくりとした調節が行われる。このため、比較的大きな引張力が、過度の力なしでねじを介して生成できるので、有利である。さらに、引張要素３の転向と歯根内に固定されたピン２に対するテンション支持部の直角な配置は、歯根が、空間の問題や起こり得る口腔内の負傷の危険性なしで、ほぼ歯根の軸方向に引っ張られることを意味している。
【００１６】
テンション装置４の支持は、支持プレート２８の支持面２８ａによって（口の縁部で）および（治療される位置に対して）回転セグメント３０に取り付けられた支持ディスク３８の支持面３８ａを介して、行われる。回転可能な回転セグメント３０を調節して、最適化された支持を保証するように、治療される位置の周囲で適切な位置状態とすることができる。
【００１７】
すでに述べたテンション支持部１２の迅速な調整は、テンション支持部１２の一方では支持スリーブ１６との当接、他方では基部本体の前側部分１０ａとの当接によって、最大の大きさが制限され、そのサイズがリブ付きナット２０を用いてサイズを調節、すなわち減少させることができる。その調整を前処置、すなわち歯根を弛緩させるために使用することができる。すなわちテンション支持部の往復運動で、実際の引張力を及ぼす前に歯根に突然の衝撃力を加えることができる。必要時に、適切な道具を用いて公知の方法で歯周隙間の弛緩を行うことも、もちろん可能である。
【００１８】
本発明の装置は、単純で、コスト効果があり、容易な操作を可能にする。テンション装置４の基部本体１０を、たとえば、片手の親指と中指で保持することができ、それによって、人差し指で、転向部分２４上の引張要素の位置を支援し、リブ付きナット２０が、他方の手で動かされる。原則として、引張力を機械的に加える。
【００１９】
たとえば支持スリーブ１６の面１７とそれに当接するリブ付きナット２０が、対応して半径方向に延びている鋸歯またはそのようなものを備えることで、リブ付きナット２０を回転させている間に、引張要素３に突然の衝撃力を及ぼす手段を考えることが可能である。リブ付きナットの回転中、ある角度での追加の増加が生成され、次に再び減少させることができる。
【図面の簡単な説明】
【００２０】
【図１】歯根を摘出するための本発明の装置の実施形態の長手方向断面図である。
【図２】図１に示した装置の概観図である。
【図３】図１の線ＩＩＩ−ＩＩＩに沿った断面図である。
【図４】ねじ山付きピンを歯根内に挿入するためのカウンタ・ピースを備える本発明の装置の部品としてのねじ山付きピンの図である。
【図１】
2006521117.tif 000003
【図２】
2006521117.tif 000004
【図３】
2006521117.tif 000005
【図４】
2006521117.tif 000006
【国際調査報告】
2006521117.tif 000007
2006521117.tif 000008
2006521117.tif 000009
2006521117.tif 000010
2006521117.tif 000011
2006521117.tif 000012